(57)【要約】【課題】籠内に収容された子供が走行中に凭れることができるようなゆったりとした背凭れ部を有する子供乗せ籠付自転車を提供する。【解決手段】ハンドルバー９の立上部１１ａ，１１ａにより左右から挟むようなかたちでハンドルシステムの頂部に籠本体１４を取付けるようにした子供乗せ籠付自転車１において、立上部１１ａ，１１ａの頂部によりハンドル部１２ａ，１２ａを並設するとともに、ハンドル部１２ａ，１２ａを連結した連結部１９に籠本体１４の背凭れ部２０を設けた子供乗せ籠付自転車。【選択図】          図１
2004237796.tif 000002
【特許請求の範囲】
【請求項１】
ハンドルバーの立上部により左右から挟むようなかたちでハンドルステムの頂部に籠本体を取付けるようにした子供乗せ籠付自転車において、上記立上部の頂部よりハンドル部を並設するとともに、該ハンドル部を連結し、該連結部に上記籠本体の背凭れ部を設けたことを特徴とする子供乗せ籠付自転車。
【請求項２】
車輪を小径にして子供の乗せ籠の床を低くした請求項１の記載の自転車。
【請求項３】
車体フレームを折畳んで携帯可能とした請求項１又は請求項２記載の自転車。
【請求項４】
ヘッドパイプと前ホークとの間にハンドルロックを設けた請求項１記載の自転車。
【発明の詳細な説明】
【０００１】
【発明が属する技術分野】
この発明は、ゆったりとした背凭れ部を有する折り畳み可能な子供乗せ籠付き自転車に関するものである。
【０００２】
【従来の技術】
ハンドルバーの立上部により左右から挟むようなかたちでハンドルシステムの頂部に籠本体を取付け、該籠本体の前側底面部を構成する前側底面部の後端部を籠本体の後側底面部前端に回転自在に枢着し、且つ籠本体の前部には握り部を設けた子供乗せ籠付自転車が実公平６‐５０３０号、実用新案登録第３０３６４０６号、実用新案登録第３０６７０３６号等において既に開示され、また市販されている。
【０００３】
これら従来の子供乗せ籠付自転車において、子供は前側底面板を回動して籠本体の前側底面部を開放して前側底面板の先端に設けられた足載せ部に足を載せ、且つ握り部を把持させて籠本体の後側底面部に座らせるようにして籠内に収容される。
【０００４】
【発明が解決しようとする課題】
しかし、籠内に収容された子供は自転車の走行中に常に握り部を把持して姿勢でいるとは限らず、この姿勢を崩してうたた寝することもあるが、この場合子供は籠内で揺動して接触損傷を受ける危険性もある。
【０００５】
【課題を解決するための手段】
この発明は、上記実情に鑑み、ハンドルバーの立上部により左右から挟むような形でハンドルシステムの頂部に籠本体を取付けるようにした子供乗せ籠付自転車において、上記立上部の頂部よりハンドル部を並設するとともに、該ハンドル部を連結し、該連結部に上記籠本体の背凭れ部を設けた子供乗せ籠付自転車を提案するものである。
【０００６】
【発明の実施の形態】
即ち、この発明においては、例えば上記立上部の頂部に並設されるハンドル部の後端を該ハンドル部とほぼ同じ高さで後方に迂回状に連結し、該連結部に上記籠本体に背凭れ部を設けるものである。
【０００７】
このようにすると、籠内に収容された子供の後頭部に迄背凭れ部が延設されるので、自転車の走行中に子供は後頭部を背凭れ部に凭れることができ、また籠内の子供に気を取られることなく自転車の運転を行なうことができる。
【０００８】
また、車輪を小径にして子供乗せ籠の床を低くすれば、籠内への子供の乗り降ろしを容易に行なうことができ、更に車輪を小径にすることにより、車体のフレームを折畳んで携
帯可能とすることもできる。
【０００９】
更に、ヘッドパイプと前ホークとの間にハンドルロックを設けることにより、籠内への子供の乗り降ろし時におけるハンドルバーの固定を行なうことができる。
【００１０】
【実施例】
以下、この発明を図示の実施例に基づいて詳細に説明すると、１はこの発明の一実施例を示す子供乗せ籠付自転車、２はその中央に折畳み機構３を設けた車体フレーム、４は車体フレーム２の前端部に設けられたヘッドパイプ、５はヘッドパイプ４内に挿通されるハンドルポスト、６ａ，６ｂは１５インチ程度の小径な前車輪及び後車輪、７はその基端部ハンドルポスト５に接続し、且つその先端部に前車輪６ａの車軸を軸着する前ホーク、８はヘッドパイプ３と前ホーク７の間に設けられたハンドルロック機構、９はハンドルバーである。
【００１１】
ハンドルバー９はその中央部をハンドルポスト５の基端部に固定される水平部１０と水平部１０に両端に設けられた立上部１１ａ，１１ａと立上部１１ａ，１１ａの頂部から前方にほぼ水平状に並設されたハンドル部１２ａ，１２ａからなり、ハンドル部１２ａ，１２ａの先端にはブレーキ１３，１３が設けられている。
【００１２】
１４はハンドルバーの立上部１１ａ，１１ａにより左右から挟むようなかたちでハンドルステムの頂部に取付けられる籠本体で、籠本体の１４の前部には握り部１５が設けられ、また籠本体１４に前側底面部を構成する前側底面板１６、前側底面板１６の前端部には足載せ台１７が設けられ、更に前側底面板１６の後端部は籠本体１４の後側底面部の前端部に回動可能に枢着し、前側底面板１６の前端中央部と籠本体１４の後側底面部前端中央部との間には所定の長さのバンド１８を設けて前側底面板１６の回動を規制する。
【００１３】
更に、この発明では立上部１１ａ，１１ａの後端部にはハンドル部１１ａ，１１ａとほぼ同じ高さで後方に迂回状に連結部１９が設けられ、連結部１９には背凭れ部２０が設けられる。
【００１４】
背凭れ部２０は、この実施例ではその上端部を連結部１９に係止させ、且つ下端に至る面を籠本体１４の後端部から後側底面部に沿って敷設するようにしてある。
【００１５】
以上の構成において、子供は前側底面板１６を回動して籠本体１４の前側底面部を開放し、前側底面板１６の先端に設けられた足載せ台１７に足を載せ、且つ握り部１５を把持させて籠本体１４の後側底面部に座らせるようにして籠内に収容されるが、握り部１５より手を放した場合にも、背凭れ部２０に後頭部を凭れることができ、したがって籠内の子供に気と取られることなく自転車の運転を行なうことができる。
【００１６】
また、この実施例では前車輪６ａ及び後車輪６ｂを１２インチ程度の小径にしてあるため、籠本体１３の床の高さが低くなり、籠内への子供の乗り降ろしを容易に行なうことができる。
【００１７】
更に、この実施例では折畳み機構２ａにより車体フレーム２を折畳むことができるので、前車輪６ａが小径あることと相俟って車体フレーム２を折畳んで携帯することができる。
【００１８】
また、この実施例ではハンドルロック機構８によりハンドルバー９をロックして籠内への乗り降ろしを行なうことができるため、籠内への子供の乗り降ろしを安全に行なうことができる。
【００１９】
【発明の効果】
以上要するに、この発明によれば自転車の走行中に籠内に収容された子供が背凭れ部に凭れることができ、また籠内の子供に気を取られることなく自転車の運転ができる。
【図面の簡単な説明】
【図１】この発明の一実施例を示す子供乗せ籠付き自転車の側面図
【図２】同上の実施例における車体フレームを折畳んだ状態における斜視図
【図３】同上の実施例における籠本体を取付けたハンドルポストの斜視図
【符号の説明】
１は子供乗せ籠付自転車
２は車体フレーム
３は車体フレームの折畳み機構
４はヘッドパイプ
５はハンドルポスト
６ａ，６ｂは前車輪及び後車輪
７は前ホーク
８はハンドルロック機構
９はハンドルバー
１０は水平部
１１ａ，１１ａは立上部
１２ａ，１２ａはハンドル部
１３はブレーキ
１４は籠本体
１５は握り部
１６は前側底面板
１７は足載せ台
１８はバンド
１９は連結部
２０は背凭れ部
【図１】
2004237796.tif 000003
【図２】
2004237796.tif 000004
【図３】
2004237796.tif 000005